(57)【要約】【課題】デジタル変電所におけるネットワークフェイルオーバのためのシステムおよび方法を提供する。【解決手段】インテリジェント電子装置（ＩＥＤ）によって、プロセスインタフェースユニット（ＰＩＵ）から、二地点間接続を介して予め設定されたデータストリーム、およびイーサネットネットワークを介して他のデータストリームを並行して受信する。故障条件（予め設定されたデータストリームにおけるフレームが消失または遅延した、データストリームにおけるフレームにおけるデータの品質が第１の閾値未満である、データストリームにおけるフレームにおけるデータと関連付けられた時間の期間が第２の閾値未満である、またはＰＩＵと関連付けられた健全性指標が第３の閾値未満であるが満たされている）を判定する。他のデータストリームにおける冗長フレームを特定し、冗長フレームにおけるデータの質が満足である場合、冗長フレームをさらなる処理のために使用する。【選択図】図１
2018183040.tif 000002
【特許請求の範囲】
【請求項１】
ネットワークフェイルオーバのためのシステムであって、
少なくとも１つのプロセスインタフェースユニット（ＰＩＵ）（１３５）と、
前記少なくとも１つのＰＩＵ（１３５）に通信可能に結合している少なくとも１つのインテリジェント電子装置（ＩＥＤ）（１４５）と、
前記少なくとも１つのＰＩＵ（１３５）と前記少なくとも１つのＩＥＤ（１４５）との間でデータを送信するように構成されるイーサネットネットワーク（２３０）とを備え、
前記少なくとも１つのＩＥＤ（１４５）が、前記少なくとも１つのＰＩＵ（１３５）から：
前記少なくとも１つのＰＩＵ（１３５）と前記少なくとも１つのＩＥＤ（１４５）との間の二地点間接続（２４０）を介して予め設定されたデータストリーム、および、
前記イーサネットネットワーク（２３０）を介して１つまたは複数の他のデータストリーム、
を並行して受信するように動作可能であり、かつ、
前記少なくとも１つのＩＥＤ（１４５）が、
故障条件であり、
前記予め設定されたデータストリームにおける少なくとも１つのフレームが消失または遅延した、
前記予め設定されたデータストリームにおける前記少なくとも１つのフレームにおける前記データの品質が第１の閾値未満である、
前記予め設定されたデータストリームにおける前記少なくとも１つのフレームにおける前記データと関連付けられた時間の期間が第２の閾値未満である、および、
前記少なくとも１つのＰＩＵ（１３５）の挙動および動作モードの一方と関連付けられた健全性指標が第３の閾値未満である、
を含む故障条件の少なくとも１つが満たされていると判定し、
前記判定に応答して、前記１つまたは複数の他のデータストリームにおける少なくとも１つの冗長フレームを特定し、
前記少なくとも１つの冗長フレームにおける前記データの前記品質が前記第１の閾値を超えており、かつ前記少なくとも１つの冗長フレームにおける前記時間の前記期間が前記第２の閾値を超えていると判定し、
前記判定に基づいて、結果が肯定的である場合、前記少なくとも１つの冗長フレームを処理であり、前記データを少なくとも変換することを含む処理のために使用する、
ようにさらに動作可能である、システム。
【請求項２】
前記少なくとも１つのＩＥＤ（１４５）が、
前記判定の結果が否定的である場合、前記予め設定されたデータストリームにおける前記故障条件が満たされる前記少なくとも１つのフレームの数を判定し、
前記数が許容閾値未満である場合、前記少なくとも１つのフレームを低品質を有するとして分類し、前記少なくとも１つのフレームをさらなる処理のために送り、
前記数が前記許容閾値を超える場合、少なくとも１つの警報を発する、
ようにさらに動作可能である、請求項１記載のシステム。
【請求項３】
前記少なくとも１つのＩＥＤ（１４５）が、前記予め設定されたデータストリームにおいて良品質のデータが使用可能であるかどうかを判定するようにさらに動作可能である、請求項１記載のシステム。
【請求項４】
前記少なくとも１つのＰＩＵ（１３５）が、工場設定または製品コードオーダーの一方によって定義される少なくとも１つの予め設定された通信ポート（２２５）を含む、請求項１記載のシステム。
【請求項５】
前記予め設定されたデータストリームおよび前記１つまたは複数の他のデータストリームの少なくとも１つが、少なくとも１つのデータセットであり、一意の識別子（ＵＩＤ）のための少なくとも１つのフィールドを含む少なくとも１つのデータセットを含む、請求項１記載のシステム。
【請求項６】
前記少なくとも１つのＩＥＤ（１４５）が、前記ＵＩＤに基づいて前記少なくとも１つのデータセットをユーザ定義ソースにマッピングするようにさらに動作可能である、請求項５記載のシステム。
【請求項７】
前記少なくとも１つのＩＥＤ（１４５）が、前記少なくとも１つのデータセットをユーザ定義変換係数に基づいて変換して、前記少なくとも１つのＰＩＵ（１３５）による設定を回避するようにさらに動作可能である、請求項６記載のシステム。
【請求項８】
前記少なくとも１つのデータセットが、一般オブジェクト指向変電所イベントを含む、請求項５記載のシステム。
【請求項９】
前記少なくとも１つのデータセットが、サンプル値であり、計器用変流器（１１５）から直接測定される電流出力および計器用変圧器（１２０）から直接測定される電圧出力の少なくとも一方を含むサンプル値を含む、請求項５記載のシステム。
【請求項１０】
ネットワークフェイルオーバのための方法であって、
少なくとも１つのプロセスインタフェースユニット（ＰＩＵ）（１３５）を提供することと、
前記少なくとも１つのＰＩＵ（１３５）に通信可能に結合している少なくとも１つのインテリジェント電子装置（ＩＥＤ）（１４５）を提供することと、
前記少なくとも１つのＰＩＵ（１３５）と前記少なくとも１つのＩＥＤ（１４５）との間でデータを送信するように構成されるイーサネットネットワーク（２３０）を提供することと、
前記少なくとも１つのＩＥＤ（１４５）によって、前記少なくとも１つのＰＩＵ（１３５）から：
前記少なくとも１つのＰＩＵ（１３５）と前記少なくとも１つのＩＥＤ（１４５）との間の二地点間接続（２４０）を介して予め設定されたデータストリーム、および、
前記イーサネットネットワーク（２３０）を介して１つまたは複数の他のデータストリーム、
を並行して受信することと、
前記少なくとも１つのＩＥＤ（１４５）によって、故障条件であり、
前記予め設定されたデータストリームにおける少なくとも１つのフレームが消失または遅延した、
前記予め設定されたデータストリームにおける前記少なくとも１つのフレームにおける前記データの品質が第１の閾値未満である、
前記予め設定されたデータストリームにおける前記少なくとも１つのフレームにおける前記データと関連付けられた時間の期間が第２の閾値未満である、および、
前記少なくとも１つのＰＩＵ（１３５）の挙動および動作モードの一方と関連付けられた健全性指標が第３の閾値未満である、
を含む故障条件の少なくとも１つが満たされていると判定することと、
前記判定に応答して、前記少なくとも１つのＩＥＤ（１４５）によって、前記１つまたは複数の他のデータストリームにおける少なくとも１つの冗長フレームを特定することと、
前記少なくとも１つのＩＥＤ（１４５）によって、前記少なくとも１つの冗長フレームにおける前記データの前記品質が前記第１の閾値を超えており、かつ前記少なくとも１つの冗長フレームにおける前記時間の前記品質が前記第２の閾値を超えていると判定することと、
前記判定に基づいて、結果が肯定的である場合、前記少なくとも１つのＩＥＤ（１４５）によって、前記少なくとも１つの冗長フレームを処理することであり、前記処理が、前記データを少なくとも変換することを含む、こととを含む、方法。
【発明の詳細な説明】
【技術分野】
【０００１】
本開示は、デジタル変電所に関し、より詳細には、デジタル変電所におけるネットワークフェイルオーバのためのシステムおよび方法に関する。
【背景技術】
【０００２】
デジタル変電所を使用することが増えてきている。デジタル変電所と従来の変電所との間の相違点には、変電所の（変圧器、回路遮断器、保護リレー等といった）構成要素間の配線を削減すること、およびマルチベンダー装置間で情報を共有して装置の相互運用性を提供することを含むことができる。
【０００３】
デジタル変電所の構成要素の動作は、マージングユニット（ＭＵ）またはプロセスインタフェースユニット（ＰＩＵ）およびインテリジェント電子装置（ＩＥＤ）を使用して自動化することができる。ＩＥＤは、変電所構成要素を監視、制御および保護するようにプログラムすることができる。ＩＥＤとＭＵ／ＰＩＵとの間の通信を系統化するために、イーサネットネットワークなどのプロセスバスを使用することができる。
【０００４】
従来の規格では、デジタル変電所の開閉所における機器の物理セキュリティおよびサイバーセキュリティの要件を含むことができる。その要件を満たすには、ＩＥＤおよびプロセスバスを設定するために特定のエンジニアリングプロセスを要することになる。デジタル変電所の機器をいかに再設定または保守するにしても、費用および時間がかかることになる。
【０００５】
ＩＥＤと変電所構成要素との間の通信の信頼性を確実にするために、さらなる方策が必要とされることになる。通信の信頼性を提供するための従来の解決策は、並列冗長プロトコル（ＰＲＰ）または高可用シームレス冗長（ＨＳＲ）プロトコルに基づくことになる。しかしながら、ＰＲＰまたはＨＳＲのための並列冗長は、同様のイーサネット交換網を使用して提供されることになり、これでは、パケット交換技術と関連する同様の故障モードに陥る可能性がある。
【発明の概要】
【課題を解決するための手段】
【０００６】
本開示は、デジタル変電所におけるネットワークフェイルオーバのためのシステムおよび方法に関する。本開示の特定の実施形態が、デジタル変電所のサイバーセキュリティ、エンジニアリング、信頼性および保守を強化することができる。
【０００７】
本開示の一実施形態によれば、ネットワークフェイルオーバを提供するための方法が提供される。本方法は、少なくとも１つのプロセスインタフェースユニット（ＰＩＵ）を提供することを含むことができる。本方法は、少なくとも１つのＰＩＵに通信可能に結合している少なくとも１つのインテリジェント電子装置（ＩＥＤ）を提供することをさらに含むことができる。本方法は、ＰＩＵとＩＥＤとの間でデータを送信するように構成されるイーサネットネットワークを提供することをさらに含んでもよい。本方法は、ＩＥＤによって、ＰＩＵから、ＰＩＵとＩＥＤとの間の二地点間接続を介して予め設定されたデータストリーム、およびイーサネットネットワークを介して１つまたは複数の他のデータストリームを並行して受信することを可能にしてもよい。本方法は、ＩＥＤによって、故障条件の少なくとも１つが満たされていると判定することをさらに含む。故障条件の少なくとも１つは、以下の１つまたは複数を含む：予め設定されたデータストリームにおける少なくとも１つのフレームが消失または遅延した、予め設定されたデータストリームにおける少なくとも１つのフレームにおけるデータの品質が第１の閾値未満である、予め設定されたデータストリームにおける少なくとも１つのフレームにおけるデータと関連付けられた時間の期間が第２の閾値未満である、およびＰＩＵの挙動および動作モードの一方と関連付けられた健全性指標が第３の閾値未満である。判定に応答して、本方法は、ＩＥＤによって、１つまたは複数の他のデータストリームにおける少なくとも１つの冗長フレームを特定することを含んでもよい。本方法は、ＩＥＤによって、冗長フレームにおけるデータの品質が第１の閾値を超えており、かつ冗長フレームにおける時間の期間が第２の閾値を超えていると判定することも含むことができる。判定の結果が肯定的である場合、本方法は、ＩＥＤによって、冗長フレームを処理し始めてもよく、ここでは処理は、データを少なくとも変換することを含む。他方で、判定の結果が否定的である場合、本方法は、ＩＥＤによって、予め設定されたデータストリームにおける故障条件が満たされるフレームの数を判定することを含んでもよい。フレームの数が許容閾値未満である場合、本方法は、ＩＥＤによって、少なくとも１つのフレームを低品質を有するとして分類し、そのフレームをさらなる処理のために送り始めてもよい。数が許容閾値を超える場合、本方法は、ＩＥＤによって、少なくとも１つの警報を発し始める。
【０００８】
いくつかの実施形態において、本方法は、ＩＥＤによって、所定の判定基準に基づいて、予め設定されたデータストリームが品質データを含んでいるかどうかを判定することをさらに含んでもよい。
【０００９】
いくつかの実施形態において、ＰＩＵは、工場設定または製品コードオーダーの一方によって定義される少なくとも１つの予め設定された通信ポートを含む。
【００１０】
いくつかの実施形態において、予め設定されたデータストリームおよび１つまたは複数の他のデータストリームの少なくとも１つは、少なくとも１つのデータセットを含む。少なくとも１つのデータセットは、一意の識別子（ＵＩＤ）のための少なくとも１つのフィールドを含んでもよい。特定の実施形態において、本方法は、ＩＥＤによって、ＵＩＤに基づいてデータセットをユーザ定義ソースにマッピングすることをさらに含んでもよい。いくつかの実施形態において、本方法は、ＩＥＤによって、データセットをユーザ定義変換係数に基づいて変換して、ＰＩＵによる設定を回避することをさらに含んでもよい。
【００１１】
いくつかの実施形態において、データセットは、一般オブジェクト指向変電所イベントを含む。特定の実施形態において、データセットは、サンプル値を含む。サンプル値は、計器用変流器から直接測定される電流出力および計器用変圧器から直接測定される電圧出力の少なくとも一方を含むことができる。
【００１２】
他の実施形態、システム、方法、特徴および態様は、以下の図面と併せて以下の説明から明らかになるであろう。
【図面の簡単な説明】
【００１３】
【図１】本開示の特定の実施形態に係る、デジタル変電所例を例示するブロック図である。
【図２】本開示の特定の実施形態に係る、無設定プロセスバス例を例示するブロック図である。
【図３】本開示の特定の実施形態に係る、アーキテクチャの冗長性を伴う無設定プロセスバス例を例示するブロック図である。
【図４】本開示の特定の実施形態に係る、無設定プロセスバスのための方法例を例示するフローチャートである。
【図５】本開示の特定の実施形態に係る、ネットワークフェイルオーバを提供するための方法例を例示するフローチャートである。
【図６】本開示の実施形態に従う、データを処理するためのコントローラ例を例示するブロック図である。
【発明を実施するための形態】
【００１４】
以下の詳細な説明は、添付の図面への参照を含み、同図面は詳細な説明の一部をなす。図面は、実施形態例に従って例示を表す。これらの実施形態例は、本明細書で「例」とも称し、当業者が本主題を実施することを可能にするのに十分詳細に記載する。特許請求した主題の範囲から逸脱することなく、実施形態例を組み合わせてもよく、他の実施形態を活用してもよく、または構造的、論理的および電気的変更を加えてもよい。以下の詳細な説明は、したがって、限定的な意味にとるべきではなく、範囲は添付の請求項およびそれらの等価物によって定められる。
【００１５】
本開示の特定の実施形態は、デジタル変電所におけるネットワークフェイルオーバのためのシステムおよび方法を含むことができる。特定の事例において、システムおよび方法のいくつかの実施形態は、物理セキュリティの必要性を排除またはその他最小限にすることによって、およびデジタル変電所における機器のサイバーセキュリティを提供することによって、デジタル変電所のセキュリティおよび安定性を強化することができる。本開示の特定の実施形態は、冗長通信チャネルの共通モードの故障を排除または最小限にすることを可能にすることによって通信ネットワークのアーキテクチャの冗長性を提供することになる。
【００１６】
本開示の特定の実施形態において、ネットワークフェイルオーバのためのシステムが提供される。本システムは、少なくとも１つのプロセスインタフェースユニット（ＰＩＵ）を含むことができる。ＰＩＵは、工場設定または製品コードオーダーの一方によって定義される少なくとも１つの予め設定された通信ポートを含んでもよい。ＰＩＵは、データストリームを送信および受信するように動作可能でもよい。データストリームは、少なくとも１つの予め設定されたデータセットを含んでもよい。ＰＩＵからの予め設定されたデータセットは、少なくとも１つのソースで測定されたサンプル値のための少なくとも１つのフィールドを含んでもよい。ソースは、計器用変流器（ＣＴ）または計器用変圧器（ＶＴ）の少なくとも一方を含んでもよい。予め設定されたデータセットは、ソースと関連付けられた一意の識別子のためのフィールドをさらに含んでもよい。システムは、ＰＩＵに通信可能に結合された少なくとも１つのインテリジェント電子装置（ＩＥＤ）を含んでもよい。ＩＥＤは、ＰＩＵからデータストリームを受信し、ユーザ定義変換係数に基づいてサンプル値を変換して、それによってＰＩＵにおける設定を回避するように動作可能でもよい。
【００１７】
本開示のいくつかの実施形態において、システムは、ＩＥＣ６２４３９ベースの並列冗長プロトコル（ＰＲＰ）または高可用シームレス冗長（ＨＳＲ）またはメディア冗長プロトコル（ＭＲＰ）などといったイーサネット冗長プロトコルの有無にかかわらず、ＰＩＵとＩＥＤとの間でデータストリームを送信するように動作可能なイーサネットネットワークを含んでもよい。いくつかの実施形態において、ＩＥＤは、ＰＩＵから：二地点間接続を介して予め設定可能なデータストリーム、およびイーサネットネットワークを介して１つまたは複数の他のデータストリームを並行して受信するようにさらに動作可能でもよい。特定の実施形態において、ＩＥＤは、ネットワークフェイルオーバメカニズムに基づいて１つまたは複数の他のデータストリームを使用して、予め設定されたストリームにおけるデータの品質を調整するようにさらに動作可能であることができる。
【００１８】
本開示の特定の実施形態において、ネットワークフェイルオーバメカニズムは、故障条件の少なくとも１つが満たされていると判定することを含むことができる：予め設定されたデータストリームにおける少なくとも１つのフレームが消失もしくは遅延した、データストリームにおける少なくとも１つのフレームにおけるデータの品質が第１の閾値未満である、データストリームにおける少なくとも１つのフレームにおけるデータと関連付けられた時間の品質が第２の閾値未満である、または少なくとも１つＰＩＵの挙動もしくは動作モードの一方と関連付けられた健全性指標が第３の閾値未満である。判定に応答して、ネットワークフェイルオーバメカニズムは、１つまたは複数の他のデータストリームにおける少なくとも１つの冗長フレームを特定することを提供することができる。ネットワークフェイルオーバメカニズムは、冗長フレームにおけるデータの品質が第１の閾値を超えており、かつ少なくとも１つの冗長フレームにおける時間の品質が第２の閾値を超えているかどうかを判定することを含むことができる。判定の結果が肯定的である場合、ネットワークフェイルオーバメカニズムは、少なくとも１つの冗長フレームを処理のために使用してもよい。他方で、判定の結果が否定的である場合、ネットワークフェイルオーバメカニズムは、データストリームにおける故障条件が満たされるフレームの数を判定してもよい。数が許容閾値未満である場合、ネットワークフェイルオーバメカニズムは、フレームを低品質を有するとして分類し、フレームをさらなる処理のために送ることができる。数が許容閾値を超える場合、ネットワークフェイルオーバメカニズムは、少なくとも１つの警報を発し始めてもよい。
【００１９】
本開示の特定の実施形態の技術的効果には、デジタル変電所の開閉所におけるマージングユニットの物理セキュリティを必要とすることなくインフラストラクチャ保護要件の遵守をもたらすことを含むことになる。本開示の特定の実施形態のさらなる技術的効果としては、顧客またはプロジェクトチームにとってプロセスバスを設定する際のエンジニアリング労力の軽減を可能にすることになる。本開示の特定の実施形態の特定の技術的効果では、プロセスバスの信頼性増大ももたらし、したがってプロセスバスの機能性を改善することになる。
【００２０】
ここで図面に移ると、図１は、本開示の特定の実施形態に係る、デジタル変電所例１００を例示するブロック図である。デジタル変電所１００は、開閉所１０５を含んでもよい。開閉所１０５は、ＣＴ１１５、ＶＴ１２０、保護リレー１２５、回路遮断器１３０、開閉装置、およびデジタル変電所１００の運転に関わる他の装置などであるが、これらに限定されない主要機器を含んでもよい。ＣＴ１１５およびＶＴ１２０は、一次電力線１１０を介して高圧電流を受け、二次電力線１４０に低圧電流を伝達するように動作可能であることができる。いくつかの実施形態において、開閉所１０５は、プロセスインタフェースユニット／マージングユニット（ＰＩＵ／ＭＵ）１３５を含むことができる。ＰＩＵ／ＭＵ１３５は、ＣＴ１１５およびＶＴ１２０からの電流および電圧を測定し、保護リレー１２５に制御指令を提供するように動作可能であることができる。制御指令を受信したことに応答して、保護リレー１２５は、回路遮断器１３０をトリップさせるように構成してもよい。いくつかの実施形態において、ＰＩＵ／ＭＵ１３５は、ＣＴ１１５、ＶＴ１２０および／または保護リレー１２５に銅線を介して接続することができる。
【００２１】
いくつかの実施形態において、ＰＩＵ／ＭＵ１３５によって測定したデータは、１つまたは複数のＩＥＤ１４５に提供することができる。ＩＥＤ１４５は、ＰＩＵ／ＭＵ１３５から得られるデータを分析し、分析に基づいて決定を行い、ＰＩＵ／ＭＵ１３５に制御指令を送り返すように動作可能でもよい。データは、１つまたは複数のサンプル値（ＳＶ）、および一般オブジェクト指向変電所イベント（ＧＯＯＳＥ）データとしてフォーマットされたデータなどの関連付けられたイベントデータを含んでもよい。ＳＶは、ＰＩＵ／ＭＵ１３５によってデジタル形式に変換される、ＣＴ１１５およびＶＴ１２０から受信された電気測定を含むことができる。ＧＯＯＳＥデータは、双方向に流れてもよい。ＧＯＯＳＥデータは、ＰＩＵ／ＭＵ１３５によってプロセスから得られ、ＩＥＤ１４５に送られるデジタル化状態またはアナログ情報を含んでもよい。ＧＯＯＳＥデータは、ＩＥＤ１４５からＰＩＵ／ＭＵ１３５への出力または関数をさらに含んでもよい。本開示の様々な実施形態において、ＩＥＤ１４５およびＰＩＵ／ＭＵ１３５は、データ処理のためのコントローラ（ハードウェアおよびソフトウェアの組合せ）を含んでもよい。データ処理に適するコントローラ例を図６を参照して下記する。
【００２２】
ＰＩＵ／ＭＵ１３５とＩＥＤ１４５との間の通信を系統化するために、プロセスバス１６０（具体的な通信設備）を使用することができる。いくつかの実施形態において、プロセスバスは、ＩＥＤ１４５とＰＩＵ／ＭＵ１３５との間の二地点間通信を含んでもよい。いくつかの実施形態において、プロセスバス１６０は、ＰＩＵ／ＭＵ１３５とＩＥＤ１４５との間の接続を提供するように構成されるイーサネットベースのローカルエリアネットワーク（ＬＡＮ）２３０を含んでもよい。ＬＡＮ２３０は、光配線およびイーサネットスイッチを含んでもよい。
【００２３】
図２は、本開示の特定の実施形態に係る、無設定プロセスバスのためのシステム例２００を例示するブロック図である。システム２００は、ＩＥＤ１４５、ＰＩＵ／ＭＵ１３５、ＬＡＮ２３０およびエンジニアリングコンピュータ２２０を含むことができる。ＰＩＵ／ＭＵ１３５は、通信ポート２２５を含む。ＰＩＵ／ＭＵ１３５は、個々の論理デバイスおよび時刻同期クロックで４つ以上の通信ポート２２５をサポートしてもよい。
【００２４】
本開示のいくつかの実施形態において、ＩＥＤ１４５は、ＰＩＵ／ＭＵ１３５の少なくとも１つから受信するデータの予め設定可能な処理２０５を含んでもよい。いくつかの実施形態において、ＩＥＤ１４５は、ＰＩＵ／ＭＵ１３５の少なくとも１つから受信するデータセットの予め設定可能かつ設定可能な処理２１０を含んでもよい。個々のＰＩＵ／ＭＵ１３５は、二地点間接続を介して特定のＩＥＤ１４５にデータを提供してもよい。いくつかの実施形態において、予め設定可能な処理２０５は、二地点間接続を介して得られたデータセットを処理するように動作可能である。いくつかの実施形態において、個々の設定または予め設定されたＰＩＵ／ＭＵ１３５は、ＬＡＮ２３０にデータセットを公開してもよく、それによってＩＥＤ１４５がＰＩＵ／ＭＵ１３５からデータを受信することを予約することを可能にする。いくつかの実施形態において、予め設定可能かつ設定可能な処理２１０は、ＬＡＮ２３０を介して得られたデータを処理してもよい。
【００２５】
本開示のいくつかの実施形態において、プロセスバスのためのシステム２００の構成要素は、主要機器およびＰＩＵ／ＭＵ１３５の工場設定および／または製品オーダーコードを使用して予め設定される。いくつかの実施形態において、ＰＩＵ／ＭＵ１３５は、ＩＥＤ１４５にデータをデータセットで転送するように動作可能でもよい。データセットは、一意の識別子（ＵＩＤ）およびデジタル化したＳＶを含んでもよい。デジタル化ＳＶは、利用可能なＣＴ１１５、ＶＴ１２０から測定された二次値、およびタイムスタンプまたはサンプルカウントを含んでもよい。転送および受信されたデータセットは、保護リレー１２５への接点入力（ＣＩ）のために利用可能なハードウェアおよび他の論理／装置状態に基づいたＧＯＯＳＥデータも含んでもよい。いくつかの実施形態において、ＰＩＵ／ＭＵ１３５は、保護リレー１２５からの接点出力（ＣＯ）ならびに他の関連指令および状態に対するＧＯＯＳＥデータを含む予め設定されたデータセットを受信してもよい。いくつかの実施形態において、ＰＩＵ／ＭＵ１３５とＩＥＤ１４５との間のデータストリームは、ＩＥＣ６１８５０またはＩＥＣ６１８６９形式に基づいてフォーマットされる。
【００２６】
本開示のいくつかの実施形態において、ＰＩＵ／ＭＵ１３５は、測定したＳＶをＵＩＤとともにストリーミングするように構成してもよい。測定ＳＶは、ＣＴ１１５およびＶＴ１２０からの電流および電圧の生のサンプルを二次値で含んでもよい。ＰＩＵ／ＭＵ１３５は、固定された（工場で準備された）事前設定（ＵＩＤを含む）をＩＩＤを使用して特定することができる。ＰＩＵ／ＭＵ１３５は、設定されたＩＥＤ記述（ＣＩＤ）ファイルを設定のために必要としなくてもよい。したがって、ＰＩＵ／ＭＵ１３５は、設置現場でいかなる設定も必要としなくてもよい。
【００２７】
本開示のいくつかの実施形態において、ＩＥＤ１４５およびＬＡＮ２３０のスイッチは、ＰＩＵ／ＭＵ１３５の予め設定されたＩＩＤ（工場で準備された）ファイルを使用してＣＩＤファイルを設定してもよい。いくつかの実施形態において、ＩＥＤ１４５は、ＳＶのストリームをＵＩＤとともに二次値で受信することができる。ＳＶを受信した後に、ＩＥＤ１４５は、受信ＳＶをさらなる処理を行う他の形式（たとえば、一次値）に変換するために、ユーザ設定可能な変換係数（ＴＦ）、たとえばＣＴ比およびＶＴ比、比または角度誤差、等を適用してもよい。
【００２８】
本開示のいくつかの他の実施形態において、工場がＰＩＵ／ＭＵ１３５に形式係数をハードコードする場合、ＰＩＵ／ＭＵ１３５は、オーダーコードまたは工場サービス設定の一部として工場から通信されるＴＦまたは他の形式係数を適用することができる。これらの実施形態において、ＰＩＵ／ＭＵ１３５は、ＩＥＤ１４５において二次値にユーザ設定可能なＴＦを適用する代わりに、工場設定されたストリームを工場設定されたＩＤ（ＵＩＤの代わり）およびＳＶストリームのための工場設定されたＴＦとともに一次値で送ることができる。
【００２９】
特定の実施形態において、エンジニアリングコンピュータ２２０は、ＩＥＤ１４５およびＬＡＮ２３０の初期設定のために必要とされてもよい。システム２００を初めて使用する時に、たとえばデジタル変電所１００を試運転する時に、エンジニアリングコンピュータ２２０を、ＰＩＵ／ＭＵ１３５の予め設定されたＩＩＤファイルを読み込むために使用してもよい。ＩＥＤ１４５およびＬＡＮ２３０のネットワークスイッチは、次いでＰＩＵ／ＭＵ１３５の予め設定されたＩＩＤファイルを使用してＣＩＤファイルを設定することができる。エンジニアリングコンピュータ２２０は、デジタル変電所１００の通常運転の間は必要でなくてもよく、システム２００から取り外すことができる。
【００３０】
図３は、本開示の特定の実施形態に係る、アーキテクチャの冗長性を伴う無設定プロセスバスのためのシステム例３００を例示するブロック図である。システム３００は、ＩＥＤ１４５、ＰＩＵ／ＭＵ装置１３５およびＬＡＮ２３０を含むことができる。ＰＩＵ／ＭＵ１３５は、通信ポート２２５を含むことができる。システム３００の要素の機能性は、ＩＥＤ１４５を除いて、図２に記載したシステム２００の対応要素の機能性に類似している。図３の例において、ＩＥＤ１４５は、アーキテクチャの冗長処理２３５を含む。
【００３１】
本開示のいくつかの実施形態において、ＩＥＤ１４５の２つの代替ネットワークポートを、ＰＩＵ／ＭＵ１３５からデータセットの２つのデータストリームを別々に受信するように構成してもよい。２つの代替ネットワークポートの第１（または一次）のものは、ＩＥＤ１４５とＰＩＵ／ＭＵ１３５との間の専用の二地点間接続２４０のために設定されてもよい。いくつかの実施形態において、二地点間接続２４０は、予め設定することができる。２つの代替ポートの第２（または二次）のものは、ＬＡＮ２３０の共有イーサネットスイッチに接続して、ＩＥＤ１４５とＰＩＵ／ＭＵ１３５との間の設定可能なネットワーク接続２４５を提供してもよい。したがって、ＩＥＤは、二地点間接続２４０を介してＰＩＵ／ＭＵ１３５から第１のデータストリーム、およびイーサネットネットワーク接続２４５を介してＰＩＵ／ＭＵ１３５から第２のデータストリームまたは１つもしくは複数の他のデータストリームを受信してもよい。アーキテクチャの冗長処理２３５は、受信データの品質を強化するために、２つのデータストリームを分析し、２つのデータストリームを調整することを含んでもよい。
【００３２】
本開示のいくつかの実施形態において、ＩＥＤは、到着時間に基づいてＳＶストリームを特定してもよい。いくつかの実施形態において、ＩＥＤは、ＳＶデータおよびタイムスタンプの品質などの、品質および健全性指標を検査してもよい。時間の品質は、データストリームにおけるフレームの遅延および失われたタイムスタンプに関連してもよい。いくつかの実施形態において、第１のデータストリームにおけるＳＶデータの一部が失われている、または劣化した品質で受信される場合、ＩＥＤは、第２のデータストリームに、または１つもしくは複数の他のデータストリームに失われたＳＶデータを探し求めてもよい。第２のデータストリームにおける、または１つもしくは複数の他のデータストリームにおける対応ＳＶデータの品質が所定の許容範囲内である場合、第２のデータストリームからの、または１つもしくは複数の他のデータストリームにおけるＳＶデータを、電流および電圧に対する二次値を一次値に変換することなどのさらなる処理のために使用することができる。いくつかの実施形態において、ＩＥＤは、データストリームに破損が特定された場合、イベントログおよび他の通知を提供してもよい。第１のデータストリームおよび第２のデータストリームまたは１つもしくは複数の他のデータストリームが異なる種類の２つの接続を介して得られるので、２つの接続が異なるモードの故障を有するため、この手法は、ネットワーク接続の信頼性強化を提供することになる。
【００３３】
図４は、本開示の実施形態に係る、無設定プロセスバスのための方法例４００を例示するフローチャートである。方法４００は、たとえば、デジタル変電所１００において実装することができる。方法４００の幾つかの動作は、ＩＥＤ１４５およびＰＩＵ／ＭＵ１３５のコントローラのプログラム命令に埋め込んでもよい。
【００３４】
ブロック４０２で、方法４００は、少なくとも１つのＰＩＵを提供することで始まってもよい。ＰＩＵは、工場設定または製品コードオーダーの一方によって定義される少なくとも１つの予め設定された通信ポートを含んでもよい。
【００３５】
ブロック４０４で、方法４００は、ＰＩＵによって、予め設定可能なデータストリームを送信および受信してもよい。予め設定可能なデータストリームは、少なくとも１つのデータセットを含んでもよい。データセットは、計器用変流器または計器用変圧器から測定されるサンプル値を含むことができる。データセットは、ＧＯＯＳＥデータをさらに含んでもよい。データセットは、ＰＩＵと関連付けられた一意の識別子をさらに含んでもよい。
【００３６】
ブロック４０６で、方法４００は、ＰＩＵに通信可能に結合された少なくとも１つのインテリジェント電子装置（ＩＥＤ）を提供してもよい。ブロック４０８で、方法４００は、ＩＥＤによって、ＰＩＵから予め設定可能なデータストリームを受信してもよい。ブロック４１０で、方法４００は、ＩＥＤによって、ネットワーク接続を使用して、第２のデータストリームまたは１つもしくは複数の他のデータストリームを任意選択で受信してもよい。ブロック４１２で、方法４００は、ＩＥＤによって、ネットワークフェイルオーバメカニズムを実行することに基づいて、第２のデータストリームまたは１つもしくは複数の他のデータストリームを使用してデータストリームを任意選択で調整してもよい。ブロック４１４で、方法４００は、ＩＥＤによって、ＵＩＤを使用して予め設定されたデータストリームをユーザ定義ソースにマッピングしてもよい。ブロック４１６で、方法４００は、ＩＥＤによって、サンプル値および／またはＧＯＯＳＥを含む予め設定されたデータストリームをＵＩＤおよびユーザ定義変換係数を使用してさらに変換してもよい。
【００３７】
図５は、本開示の実施形態に係る、ネットワークフェイルオーバメカニズムのための方法例５００を例示するフローチャートである。方法５００は、たとえば、図３を参照して上記したシステム３００のＩＥＤ１４５を使用して実装することができる。方法５００は、方法４００のブロック４１２のためのさらなる詳細を提供することになる。方法５００の動作は、ＩＥＤ１４５のコントローラのプログラム命令に埋め込んでもよい。
【００３８】
ブロック５０２で、方法５００は、（第１の）データストリームにおけるフレームの消失もしくは遅延により故障を検出することで、またはデータもしくは時間の品質が閾値品質値未満に劣化したと判定することで始まってもよい。データは、サンプル値および／またはＧＯＯＳＥデータを含んでもよい。閾値品質値は、サンプル値、ＧＯＯＳＥデータおよび時間に対して独立していてもよい。本開示のいくつかの実施形態において、故障を検出することは、健全性指標が健全性閾値未満であると判定することを含んでもよい。健全性指標は、第１のデータストリームを送っているＰＩＵの挙動および／または動作モードと関連付けられてもよい。ブロック５０４で、方法５００は、第２のデータストリームから、または１つもしくは複数の他のデータストリームから冗長フレームを特定してもよい。冗長フレームは、失われている、または品質が劣化したデータストリームのフレームを表してもよい。ブロック５０６で、方法５００は、冗長フレームにおけるサンプル値およびタイムスタンプの品質が閾値内であるかどうかを判定してもよい。
【００３９】
冗長フレームにおけるデータおよび時間の品質が閾値内である場合、方法５００は、ブロック５０８で、第２のデータストリームまたは１つもしくは複数の他のデータストリームからの冗長フレームを、さらなる処理および第１のデータストリームから得られるサンプル値の品質調整のために送り始めてもよい。
【００４０】
冗長フレームにおけるデータおよび時間の品質が閾値内でない場合、方法５００は、ブロック５１０で、サンプル値およびタイムスタンプの状態を記録し、故障によって影響を受けるフレームの数を検査してもよい。ブロック５１２で、方法５００は、故障によって影響を受けるフレームの数が許容範囲内であるかどうかを判定してもよい。故障によって影響を受けるフレームの数が許容範囲内でない場合、方法５００は、ブロック５１４で、警報を発してもよい。ブロック５１６で、方法５００は、影響を受けたフレームを低品質を有するとして分類し、影響を受けたフレームに関するデータをさらなる処理のために送ってもよい。ブロック５１８で、方法５００は、（第１の）データストリームにおいて良品質のデータが使用可能であるかどうかを判定してもよい。
【００４１】
図６は、本開示の実施形態に従う、データストリームを処理するためのコントローラ例６００を例示するブロック図を表す。コントローラ６００は、プログラム論理６２０（たとえば、ソフトウェア）を記憶し、かつ変電所の幾何データおよび運転データ、動的モデル、性能メトリックス等といったデータ６３０を記憶してもよいメモリ６１０を含んでもよい。メモリ６１０は、オペレーティングシステム６４０も含んでもよい。
【００４２】
プロセッサ６５０がオペレーティングシステム６４０を活用してプログラム論理６２０を実行してもよく、この際にデータ６３０も活用してもよい。データバス６６０がメモリ６１０とプロセッサ６５０との間の通信を提供してもよい。ユーザは、キーボード、マウス、制御パネル、またはコントローラ６００とデータを伝達することが可能な任意の他の装置などの、少なくとも１つのユーザインタフェース装置６７０を介してコントローラ６００と交信してもよい。コントローラ６００は、入出力（Ｉ／Ｏ）インタフェース６８０を介して、動作している間、変電所とオンラインで通信状態にある他に、動作していない間、変電所とオフラインで通信状態にあってもよい。より詳細には、コントローラ６００の１つまたは複数が、変電所の構成要素と関連付けられた幾何データおよび運転データを受信し、幾何データおよび運転データに基づいて構成要素に対する変電所の動的モデルを作成し、動的モデルに基づいて特定の性能メトリックに対する代理モデルを生成し、代理モデルを最適化手順に組み込み、特定の性能メトリックに対して変電所の運転を最適化する最適化目的で最適化手順を行使するためであるが、これに限定されず、モデルベース制御システムの実行を実施してもよい。追加的に、他の外部装置または複数の他の変電所がＩ／Ｏインタフェース６８０を介してコントローラ６００と通信状態にあってもよいことを認識すべきである。さらに、コントローラ６００および、それによって実装されるプログラム論理６２０は、ソフトウェア、ハードウェア、ファームウェアまたは任意のその組合せを含んでもよい。複数のコントローラ６００を使用してもよく、それによって本明細書に記載した異なる特徴が１つまたは複数の異なるコントローラ６００で実行されてもよいことも認識すべきである。
【００４３】
実施形態例に係るシステム、方法、装置およびコンピュータプログラム製品のブロック図への参照が行われる。ブロック図のブロックの少なくとも一部およびブロック図におけるブロックの組合せを少なくとも部分的にコンピュータプログラム命令によって実装してもよいことを理解されたい。これらのコンピュータプログラム命令を汎用コンピュータ、専用コンピュータ、専用ハードウェアベースコンピュータまたは他のプログラマブルデータ処理装置にロードしてマシンを生成してもよく、その結果コンピュータまたは他のプログラマブルデータ処理装置で実行する命令が、上述のブロック図のブロックの少なくとも一部またはブロック図におけるブロックの組合せの機能性を実装するための手段を作成する。
【００４４】
これらのコンピュータプログラム命令をまた、コンピュータまたは他のプログラマブルデータ処理装置に特定の方式で機能するように指示することができる非一時的なコンピュータ可読メモリに記憶してもよく、その結果コンピュータ可読メモリに記憶された命令が、１つまたは複数のブロックに指定される機能を実装する命令手段を含む製品を生成する。コンピュータプログラム命令を、さらにコンピュータまたは他のプログラマブルデータ処理装置にロードして、一連の動作ステップがコンピュータまたは他のプログラマブル装置で行われてコンピュータ実装プロセスを生成させてもよく、その結果コンピュータまたは他のプログラマブル装置で実行する命令が、１つまたは複数のブロックに指定される機能を実装するための動作を提供する。
【００４５】
本明細書に記載したシステムの１つまたは複数の構成要素および方法の１つまたは複数の要素は、コンピュータのオペレーティングシステムで動作しているアプリケーションプログラムを通して実装してもよい。それらは、ハンドヘルドデバイス、マルチプロセッサシステム、マイクロプロセッサベースまたはプログラマブル家電、ミニコンピュータ、メインフレームコンピュータ等を含む、他のコンピュータシステム構成でも実施してもよい。
【００４６】
本明細書に記載したシステムおよび方法の構成要素であるアプリケーションプログラムは、特定の抽象データ型を実装し、特定のタスクまたはアクションを行うルーチン、プログラム、コンポーネント、データ構造、等を含んでもよい。分散コンピューティング環境では、アプリケーションプログラム（全部または一部）は、ローカルメモリに、または他のストレージに設けてもよい。加えて、または代替的に、アプリケーションプログラム（全部または一部）は、通信ネットワークを通じてリンクされるリモート処理装置によってタスクが行われる状況を可能にするために、リモートメモリに、またはストレージに設けてもよい。
【００４７】
本明細書に述べた記載例の多くの変更および他の実施形態は、これらの記載が関係する限り、前述の説明および関連する図面に提示した教示の利益を有するものと想起されるであろう。したがって、本開示が多くの形態で具象化してもよく、上記した実施形態例に限定されるべきでないことを認識するであろう。したがって、本開示が開示した具体的な実施形態に限定されるものではないこと、ならびに変更および他の実施形態が添付の請求項の範囲内に含まれるものと意図されることを理解すべきである。本明細書で具体的な用語が利用されるが、それらは一般的かつ説明的な意味でのみ使用され、限定する目的ではない。
【００４８】
最後に、代表的な実施態様を以下に示す。
［実施態様１］
ネットワークフェイルオーバのためのシステムであって、
少なくとも１つのプロセスインタフェースユニット（ＰＩＵ）（１３５）と、
少なくとも１つのＰＩＵ（１３５）に通信可能に結合している少なくとも１つのインテリジェント電子装置（ＩＥＤ）（１４５）と、
少なくとも１つのＰＩＵ（１３５）と少なくとも１つのＩＥＤ（１４５）との間でデータを送信するように構成されるイーサネットネットワーク（２３０）とを備え、
少なくとも１つのＩＥＤ（１４５）が、少なくとも１つのＰＩＵ（１３５）から：
少なくとも１つのＰＩＵ（１３５）と少なくとも１つのＩＥＤ（１４５）との間の二地点間接続（２４０）を介して予め設定されたデータストリーム、および、
イーサネットネットワーク（２３０）を介して１つまたは複数の他のデータストリーム、
を並行して受信するように動作可能であり、かつ、
少なくとも１つのＩＥＤ（１４５）が、
故障条件であり、
予め設定されたデータストリームにおける少なくとも１つのフレームが消失または遅延した、
予め設定されたデータストリームにおける少なくとも１つのフレームにおけるデータの品質が第１の閾値未満である、
予め設定されたデータストリームにおける少なくとも１つのフレームにおけるデータと関連付けられた時間の期間が第２の閾値未満である、および、
少なくとも１つのＰＩＵ（１３５）の挙動および動作モードの一方と関連付けられた健全性指標が第３の閾値未満である、
を含む故障条件の少なくとも１つが満たされていると判定し、
判定に応答して、１つまたは複数の他のデータストリームにおける少なくとも１つの冗長フレームを特定し、
少なくとも１つの冗長フレームにおけるデータの品質が第１の閾値を超えており、かつ少なくとも１つの冗長フレームにおける時間の期間が第２の閾値を超えていると判定し、
判定に基づいて、結果が肯定的である場合、少なくとも１つの冗長フレームを処理であり、データを少なくとも変換することを含む処理のために使用する、
ようにさらに動作可能である、システム。
［実施態様２］
少なくとも１つのＩＥＤ（１４５）が、
判定の結果が否定的である場合、予め設定されたデータストリームにおける故障条件が満たされる少なくとも１つのフレームの数を判定し、
数が許容閾値未満である場合、少なくとも１つのフレームを低品質を有するとして分類し、少なくとも１つのフレームをさらなる処理のために送り、
数が許容閾値を超える場合、少なくとも１つの警報を発する、
ようにさらに動作可能である、実施態様１記載のシステム。
［実施態様３］
少なくとも１つのＩＥＤ（１４５）が、予め設定されたデータストリームにおいて良品質のデータが使用可能であるかどうかを判定するようにさらに動作可能である、実施態様１記載のシステム。
［実施態様４］
少なくとも１つのＰＩＵ（１３５）が、工場設定または製品コードオーダーの一方によって定義される少なくとも１つの予め設定された通信ポート（２２５）を含む、実施態様１記載のシステム。
［実施態様５］
予め設定されたデータストリームおよび１つまたは複数の他のデータストリームの少なくとも１つが、少なくとも１つのデータセットであり、一意の識別子（ＵＩＤ）のための少なくとも１つのフィールドを含む少なくとも１つのデータセットを含む、実施態様１記載のシステム。
［実施態様６］
少なくとも１つのＩＥＤ（１４５）が、ＵＩＤに基づいて少なくとも１つのデータセットをユーザ定義ソースにマッピングするようにさらに動作可能である、実施態様５記載のシステム。
［実施態様７］
少なくとも１つのＩＥＤ（１４５）が、少なくとも１つのデータセットをユーザ定義変換係数に基づいて変換して、少なくとも１つのＰＩＵ（１３５）による設定を回避するようにさらに動作可能である、実施態様６記載のシステム。
［実施態様８］
少なくとも１つのデータセットが、一般オブジェクト指向変電所イベントを含む、実施態様５記載のシステム。
［実施態様９］
少なくとも１つのデータセットが、サンプル値であり、計器用変流器（１１５）から直接測定される電流出力および計器用変圧器（１２０）から直接測定される電圧出力の少なくとも一方を含むサンプル値を含む、実施態様５記載のシステム。
［実施態様１０］
予め設定されたデータストリームおよび１つまたは複数の他のデータストリームの少なくとも１つが、ＩＥＣ６１８５０形式またはＩＥＣ６１８６９形式の一方に少なくとも基づいてフォーマットされる、実施態様１記載のシステム。
［実施態様１１］
ネットワークフェイルオーバのための方法であって、
少なくとも１つのプロセスインタフェースユニット（ＰＩＵ）（１３５）を提供することと、
少なくとも１つのＰＩＵ（１３５）に通信可能に結合している少なくとも１つのインテリジェント電子装置（ＩＥＤ）（１４５）を提供することと、
少なくとも１つのＰＩＵ（１３５）と少なくとも１つのＩＥＤ（１４５）との間でデータを送信するように構成されるイーサネットネットワーク（２３０）を提供することと、
少なくとも１つのＩＥＤ（１４５）によって、少なくとも１つのＰＩＵ（１３５）から：
少なくとも１つのＰＩＵ（１３５）と少なくとも１つのＩＥＤ（１４５）との間の二地点間接続（２４０）を介して予め設定されたデータストリーム、および、
イーサネットネットワーク（２３０）を介して１つまたは複数の他のデータストリーム、
を並行して受信することと、
少なくとも１つのＩＥＤ（１４５）によって、故障条件であり、
予め設定されたデータストリームにおける少なくとも１つのフレームが消失または遅延した、
予め設定されたデータストリームにおける少なくとも１つのフレームにおけるデータの品質が第１の閾値未満である、
予め設定されたデータストリームにおける少なくとも１つのフレームにおけるデータと関連付けられた時間の期間が第２の閾値未満である、および、
少なくとも１つのＰＩＵ（１３５）の挙動および動作モードの一方と関連付けられた健全性指標が第３の閾値未満である、
を含む故障条件の少なくとも１つが満たされていると判定することと、
判定に応答して、少なくとも１つのＩＥＤ（１４５）によって、１つまたは複数の他のデータストリームにおける少なくとも１つの冗長フレームを特定することと、
少なくとも１つのＩＥＤ（１４５）によって、少なくとも１つの冗長フレームにおけるデータの品質が第１の閾値を超えており、かつ少なくとも１つの冗長フレームにおける時間の品質が第２の閾値を超えていると判定することと、
判定に基づいて、結果が肯定的である場合、少なくとも１つのＩＥＤ（１４５）によって、少なくとも１つの冗長フレームを処理することであり、処理が、データを少なくとも変換することを含む、こととを含む、方法。
［実施態様１２］
判定の結果が否定的である場合、少なくとも１つのＩＥＤ（１４５）によって、予め設定されたデータストリームにおける故障条件が満たされる少なくとも１つのフレームの数を判定することと、
数が許容閾値未満である場合、少なくとも１つのＩＥＤ（１４５）によって、少なくとも１つのフレームを低品質を有するとして分類し、少なくとも１つのフレームをさらなる処理のために送ることと、
数が許容閾値を超える場合、少なくとも１つのＩＥＤ（１４５）によって、少なくとも１つの警報を発することとをさらに含む、実施態様１１記載の方法。
［実施態様１３］
少なくとも１つのＩＥＤ（１４５）によって、所定の判定基準に基づいて、予め設定されたデータストリームにおいて使用可能なデータが良品質であるかどうかを判定することをさらに含む、実施態様１１記載の方法。
［実施態様１４］
少なくとも１つのＰＩＵ（１３５）が、工場設定または製品コードオーダーの一方によって定義される少なくとも１つの予め設定された通信ポート（２２５）を含む、実施態様１１記載の方法。
［実施態様１５］
予め設定されたデータストリームおよび１つまたは複数の他のデータストリームの少なくとも１つが、少なくとも１つのデータセットであり、一意の識別子（ＵＩＤ）のための少なくとも１つのフィールドを含む少なくとも１つのデータセットを含む、実施態様１１記載の方法。
［実施態様１６］
少なくとも１つのＩＥＤ（１４５）によって、ＵＩＤに基づいて少なくとも１つのデータセットをユーザ定義ソースにマッピングすることをさらに含む、実施態様１５記載の方法。
［実施態様１７］
少なくとも１つのＩＥＤ（１４５）によって、少なくとも１つのデータセットをユーザ定義変換係数に基づいて変換して、少なくとも１つのＰＩＵ（１３５）による設定を回避することをさらに含む、実施態様１６記載の方法。
［実施態様１８］
少なくとも１つのデータセットが、一般オブジェクト指向変電所イベントを含む、実施態様１５記載の方法。
［実施態様１９］
少なくとも１つのデータセットが、サンプル値であり、計器用変流器（１１５）から直接測定される電流出力および計器用変圧器（１２０）から直接測定される電圧出力の少なくとも一方を含むサンプル値を含む、実施態様１５記載の方法。
［実施態様２０］
ネットワークフェイルオーバのためのシステムであって、
少なくとも１つの計器用変流器（ＣＴ）（１１５）および少なくとも１つの計器用変圧器（ＶＴ）（１２０）を含む１つまたは複数の電気的変電所構成要素と、
少なくとも１つのＣＴ（１１５）および少なくとも１つのＶＴ（１２０）に配線した少なくとも１つのプロセスインタフェースユニット（ＰＩＵ）（１３５）であり、少なくとも１つのＰＩＵ（１３５）が、工場設定および製品コードオーダーの一方によって定義される少なくとも１つの予め設定された通信ポート（２２５）を含み、少なくとも１つのＰＩＵ（１３５）が、データストリームを送信および受信するように動作可能であり、データストリームが、予め設定されたＩＥＤインスタンス化記述（ＩＩＤ）ファイルを使用して定義される少なくとも１つのデータセットを含み、少なくとも１つのデータセットが：
少なくとも１つのＣＴ（１１５）および少なくとも１つのＶＴ（１２０）の一方から測定されるサンプル値、
一般オブジェクト指向変電所イベント（ＧＯＯＳＥ）であり、少なくとも１つの開閉装置を含むプロセス変換器の少なくとも１つに関して直接測定される状態およびアナログ情報の少なくとも一方を含むＧＯＯＳＥ、
工場設定または製品オーダーコードの一方によって予め設定された一意の識別子（ＵＩＤ）、
のための少なくとも１つのフィールドを含む、少なくとも１つのＰＩＵ（１３５）と、
少なくとも１つのＰＩＵ（１３５）に通信可能に結合している少なくとも１つのインテリジェント電子装置（ＩＥＤ）（１４５）と、
少なくとも１つのＰＩＵ（１３５）と少なくとも１つのＩＥＤ（１４５）との間でデータを送信するように構成されるイーサネットネットワーク（２３０）とを備え、
少なくとも１つのＩＥＤ（１４５）が、少なくとも１つのＰＩＵ（１３５）から：
少なくとも１つのＰＩＵ（１３５）と少なくとも１つのＩＥＤ（１４５）との間の二地点間接続（２４０）を介して予め設定されたデータストリーム、および、
イーサネットネットワーク（２３０）を介して１つまたは複数の他のデータストリーム、
を並行して受信するように動作可能であり、かつ、
少なくとも１つのＩＥＤ（１４５）が、
故障条件であり、
予め設定されたデータストリームにおける少なくとも１つのフレームが消失または遅延した、
予め設定されたデータストリームにおける少なくとも１つのフレームにおけるデータの品質が第１の閾値未満である、
予め設定されたデータストリームにおける少なくとも１つのフレームにおけるデータと関連付けられた時間の期間が第２の閾値未満である、および、
少なくとも１つのＰＩＵ（１３５）の挙動および動作モードの一方と関連付けられた健全性指標が第３の閾値未満である、
を含む故障条件の少なくとも１つが満たされていると判定し、
判定に応答して、１つまたは複数の他のデータストリームにおける少なくとも１つの冗長フレームを特定し、
少なくとも１つの冗長フレームにおけるデータの品質が第１の閾値を超えており、かつ少なくとも１つの冗長フレームにおける時間の品質が第２の閾値を超えていると判定し、
判定に基づいて、結果が肯定的である場合、少なくとも１つの冗長フレームを処理であり、データを少なくとも変換することを含む処理のために使用し、
判定の結果が否定的である場合、予め設定されたデータストリームにおける故障条件が満たされる少なくとも１つのフレームの数を判定し、
数が許容閾値未満である場合、少なくとも１つのフレームを低品質を有するとして分類し、少なくとも１つのフレームをさらなる処理のために送り、
数が許容閾値を超える場合、少なくとも１つの警報を発し、
所定の判定基準に基づいて、予め設定されたデータストリームが品質データを含んでいるかどうかを判定する、
ようにさらに動作可能である、システム。
【符号の説明】
【００４９】
１００  デジタル変電所
１０５  開閉所
１１０  一次電力線
１１５  計器用変流器（ＣＴ）
１２０  計器用変圧器（ＶＴ）
１２５  保護リレー
１３０  回路遮断器
１３５  プロセスインタフェースユニット／マージングユニット（ＰＩＵ／ＭＵ）
１４０  二次電力線
１４５  インテリジェント電子装置（ＩＥＤ）
１５０  銅線
１６０  プロセスバス
２００  無設定プロセスバスのためのシステム
２０５  予め設定可能な処理
２１０  予め設定可能かつ設定可能な処理
２２０  エンジニアリングコンピュータ
２２５  通信ポート
２３０  ローカルエリアネットワーク（ＬＡＮ）
２３５  アーキテクチャの冗長処理
２４０  二地点間接続
２４５  設定可能なネットワーク接続
３００  無設定プロセスバスのためのシステム
６００  コントローラ
６１０  メモリ
６２０  プログラム論理
６３０  データ
６４０  オペレーティングシステム
６５０  プロセッサ
６６０  データバス
６７０  ユーザインタフェース装置
６８０  入出力（Ｉ／Ｏ）インタフェース
【図１】
2018183040.tif 000003
【図２】
2018183040.tif 000004
【図３】
2018183040.tif 000005
【図４】
2018183040.tif 000006
【図５】
2018183040.tif 000007
【図６】
2018183040.tif 000008
【外国語明細書】
2018183040000001.pdf